(57)【要約】  【課題】  表示ユニットとともに収納および展開が可能な発光ユニットを有する撮影装置において、発光ユニット使用時における表示ユニットの向きの制限を少なくし、かつ適正又は自由度の高い被写体照明を行えるようにする。  【解決手段】  撮影装置は、撮影装置本体１と、画像を表示する表示ユニット４と、被写体を照明する発光ユニット３とを有する。さらに、撮影装置本体に対する表示ユニットおよび発光ユニットの第１軸Ａ回りでの一体的な回動と、少なくとも表示ユニットの発光ユニットに対する第２軸Ｂ回りでの回動とを可能とする回動支持機構５，６を有する。  【選択図】  図４
2006295302.tif 000002
【特許請求の範囲】
【請求項１】
撮影装置本体と、
画像を表示する表示ユニットと、
被写体を照明する発光ユニットと、
前記撮影装置本体に対する前記表示ユニットおよび前記発光ユニットの第１軸回りでの一体的な回動と、少なくとも前記表示ユニットの前記発光ユニットに対する第２軸回りでの回動とを可能とする回動支持機構とを有することを特徴とする撮影装置。
【請求項２】
前記回動支持機構は、前記表示ユニットおよび前記発光ユニットの前記第２軸回りでの互いに独立した回動を可能とすることを特徴とする請求項１に記載の撮影装置。
【請求項３】
前記回動支持機構は、前記表示ユニットおよび前記発光ユニットの前記第１軸回りでの一体的な回動を可能とする第１の回動部と、前記表示ユニットおよび前記発光ユニットを連結し、少なくとも該表示ユニットの該発光ユニットに対する前記第２軸回りでの回動を可能とする第２の回動部とを有することを特徴とする請求項１又は２に記載の撮影装置。
【請求項４】
前記表示ユニットと前記発光ユニットとを前記第２軸回りで一体的に回動するよう連結する状態と該連結を解除する状態とに切換え可能な連結機構を有することを特徴とする請求項１から３のいずれか１つに記載の撮影装置。
【請求項５】
前記発光ユニットは、前記表示ユニットよりも前記第１軸から離れて配置されていることを特徴とする請求項１から４のいずれか１つに記載の撮影装置。
【請求項６】
前記表示ユニットは、前記発光ユニットよりも前記第１軸から離れて配置されていることを特徴とする請求項１から４のいずれか１つに記載の撮影装置。
【発明の詳細な説明】
【技術分野】
【０００１】
本発明は、表示ユニットと発光ユニットとを備えたデジタルスチルカメラやビデオカメラ等の撮影装置に関するものである。
【背景技術】
【０００２】
撮影レンズにより形成された被写体像をＣＣＤセンサ等の撮像素子を用いて画像信号に光電変換し、該画像信号をＬＣＤ等の表示ユニットに表示したりメモリーカード等の記録媒体に記録したりする画像記録再生装置としての撮影装置は、被写体に向けて照明光を照射する発光ユニットを内蔵している場合が多い。
【０００３】
また、このような撮影装置では、使用しない状態での撮影装置の小型化と、被写体（人物）を照明しての撮影時におけるいわゆる赤目現象の防止のために、装置本体に対して収納および突出が可能ないわゆるポップアップ式の発光ユニットが用いられることが多い。
【０００４】
さらに、ＬＣＤ等の表示ユニットに関しては、該撮影装置を使用しない状態での小型化と、撮影時や記録画像の再生時における視認性向上のため、撮影装置本体に対して収納および展開するよう回動するものが多い。
【０００５】
このような事情において、特許文献１には、撮影装置本体に回動可能に設けられた表示ユニットに発光ユニットを一体的に設けたものが提案されている。
【特許文献１】特開平１１−８８７４０号公報(段落００１７〜００１９、図１〜３等)
【発明の開示】
【発明が解決しようとする課題】
【０００６】
しかしながら、上記特許文献１にて提案されている撮影装置では、撮影装置本体に対して表示ユニットを展開した状態において、該表示ユニットの向きを変えるよう回動させると、発光ユニットの向きまで同様に変わる。このため、発光ユニットによって被写体を照明して撮影を行う場合に、表示ユニットの向きが制限されてしまうという問題がある。逆に言えば、表示ユニットの向きを撮影のモニタリングに適した向きに設定すると、発光ユニットによる被写体照明が適切に行えなかったり所望の照明効果が得られなかったりする場合がある。
【０００７】
本発明は、撮影装置本体に対して表示ユニットとともに収納および展開が可能な発光ユニットを有する撮影装置において、発光ユニット使用時における表示ユニットの向きの制限を少なくし、かつ適正又は自由度の高い被写体照明を行うことができるようにすることを目的の１つとしている。
【課題を解決するための手段】
【０００８】
１つの観点としての本発明の撮影装置は、撮影装置本体と、画像を表示する表示ユニットと、被写体を照明する発光ユニットとを有する。さらに、撮影装置本体に対する表示ユニットおよび発光ユニットの第１軸回りでの一体的な回動と、少なくとも表示ユニットの発光ユニットに対する第２軸回りでの回動とを可能とする回動支持機構を有することを特徴とする。
【０００９】
ここで、回動支持機構は、表示ユニットおよび発光ユニットの第２軸回りでの互いに独立した回動を可能とするように構成してもよい。
【発明の効果】
【００１０】
本発明によれば、撮影装置本体に対して収納されていた表示ユニットおよび発光ユニットを第１軸回りで一体的に回動させて展開した状態において、発光ユニットを被写体方向に向けたまま表示ユニットを第２軸回りで視認性の良い向きとなるよう回動させたり、表示ユニットと発光ユニットとをそれぞれ所望の向きになるように独立して回動させたりすることが可能となる。これにより、発光ユニット使用時における表示ユニットの向きの制限が少なく、かつ適正又は自由度の高い被写体照明を行うことができる撮影装置を実現することができる。
【発明を実施するための最良の形態】
【００１１】
以下、本発明の実施例について図面を参照しながら説明する。
【実施例１】
【００１２】
図１〜図７には、本発明の実施例１であるデジタルスチルカメラやビデオカメラ等の撮影装置（以下、カメラという）を示している。これらの図において、１はカメラ本体、２はレリーズ（撮影開始）ボタン、７は被写体像を形成する撮影レンズである。
【００１３】
１０は撮影レンズ７により形成された被写体像を光電変換して電子的な画像データを生成する撮像素子であり、ＣＣＤセンサやＣＭＯＳセンサ等を用いて構成される。
【００１４】
３は被写体を照明するための照明光を発する発光ユニットであり、３ａは該照明光の照射窓である。４は画像データを表示したりその他の様々な情報を表示したりする表示ユニットであり、ＬＣＤや自発光素子等を用いて構成される。４ａは該表示ユニット４の画面である。発光ユニット３と表示ユニット４は、その筐体が共通していない別ユニットとしてそれぞれ構成されている。
【００１５】
図１および図２には、本実施例のカメラの非使用時（携帯時）での形態を示している。なお、この状態では、発光ユニット３と表示ユニット４はカメラ本体１の側面に当接するように収納されている。これにより、図２に示すように、カメラの正面投影面積を小さくすることができ、携帯等に都合が良い。
【００１６】
また、図３には、カメラ本体１の内部構成を示している。本実施例のカメラは、撮影光学系として高倍率ズームレンズを備える。これにより、カメラ本体１は撮影光軸方向に長くなるが、本実施例では、その長さを利用して、後述するように発光ユニット３と表示ユニット４とを連結し、カメラ本体１の同一側面に収納する形態としている。
【００１７】
本実施例では、発光ユニット３は、カメラ本体１の側面に設けられた第１の回動部としての回動ベース部材５により、図示の状態における垂直軸である第１軸Ａを中心としてカメラ本体１に対して回動可能に支持されている。さらに、表示ユニット４は、第２の回動部としての回動連結部材６により、発光ユニット３における第１軸Ａから離れた側の部分に、図示の状態における水平軸である第２軸Ｂを中心として回動可能に連結されている。本実施例の回動ベース部材５および回動連結部材６からなる回動支持機構は、発光ユニット３と表示ユニット４を、第２軸Ｂを中心として互いに独立してカメラ本体１に対して回動させることができるように構成されている。
【００１８】
また、第１軸Ａと第２軸Ｂとは、互いに直交する関係にある。但し、第１軸Ａと第２軸Ｂとが互いにシフトして、いわゆるねじれの関係にあってもよい。
【００１９】
このように構成されたカメラにおいて、発光ユニット３と表示ユニット４は、図１に示す収納状態から第１軸Ａを中心として略９０°回動することにより、図４に示す展開状態（発光ユニット３および表示ユニット４は中立位置にある）となる。さらに、この展開状態において、発光ユニット３と表示ユニット４を第２軸Ｂを中心として回動させることにより、図５，６に示すように、発光ユニット３と表示ユニット４の向きを任意に設定することができる。図５には、図４の状態から表示ユニット４のみを回動させた状態を示している。また、図６には、図４に示す状態から発光ユニット３のみを回動させた状態を示している。
【００２０】
例えば、ローアングル撮影時には、表示ユニット４の視認性を確保するために、図４の状態から図５に示すように表示ユニット４を上向きに回動させる。このとき、表示ユニット４を回動させても、発光ユニット３は回動せず、中立位置に維持されるので、発光ユニット３（発光窓３ａ）から直接被写体に照明光を照射する通常の照明撮影を行うことができる。つまり、発光ユニット３の向きと表示ユニット４の向きとを独立して設定することができるので、発光ユニット３の向きによって表示ユニット４の向きが制限されることがなく、表示ユニット４の視認性を確保した上で適正な照明撮影を行うことができる。
【００２１】
また、例えば、通常アングル撮影であって、被写体近くの天井等に向けて照明光を照射することによって間接照明光を被写体に当ててバウンスフラッシュ撮影を行うような場合には、図４の状態から図６に示すように、発光ユニット３を上向きに回動させる。このとき、照明ユニット３を回動させても、表示ユニット４は回動せず、中立位置に維持されるので、通常アングルでのバウンスフラッシュ撮影を容易に行うことができる。つまり、発光ユニット３の向きと表示ユニット４の向きとを独立して設定することができるので、表示ユニット４の視認性を悪化させることなく発光ユニット３の向きを任意に設定することができ、照明効果を自由に得ることができる。
【００２２】
そして、発光ユニット３および表示ユニット４を用いての撮影状態から、これらを収納するためには、図５や図６に示す状態から図４に示す中立位置に発光ユニット３と表示ユニット４を揃え、その後、図１に示すように発光ユニット３と表示ユニット４とをカメラ本体１の側面に当接させるよう第１軸Ａ回りで回動させる。
【００２３】
また、図７に示すように、表示ユニット４を、その画面４ａが外側に向くように収納してもよい。これにより、発光ユニット３および表示ユニット４を収納した状態で、撮影画像の再生表示を行うことができる。
【００２４】
本実施例によれば、発光ユニット３を表示ユニット４よりも内側、すなわち第１軸Ａにより近い側に配置しているので、表示ユニット４の第２軸Ｂ回りでの回動操作時に、不注意で発光ユニット３に触れてこれを回動させてしまい、発光ユニット３からの照明光の照射方向が変わってしまうことを防止できる。
【実施例２】
【００２５】
上記実施例１では、発光ユニット３を表示ユニット４よりも内側に配置した場合について説明したが、赤目現象防止のため、図８に示すように、発光ユニット３を表示ユニット４よりも外側、すなわち、第１軸Ａからより離れた側に配置してもよい。
【００２６】
この場合、表示ユニット４が、カメラ本体１の側面に設けられた回動ベース部材５により第１軸Ａを中心として回動可能に支持されている。さらに、発光ユニット３が、回動連結部材６により、表示ユニット４における第１軸Ａから離れた側の部分に第２軸Ｂを中心として回動可能に連結されている。
【００２７】
本実施例においても、回動ベース部材５および回動連結部材６からなる回動支持機構は、発光ユニット３と表示ユニット４を、第２軸Ｂを中心として互いに独立してカメラ本体１に対して回動させることができるように構成されている。
【実施例３】
【００２８】
図９〜図１１には、本発明の実施例３であるカメラの構成を示している。図９には、該カメラのうち発光ユニット３と表示ユニット４の断面を示している。本実施例は、実施例２の変形例である。
【００２９】
これらの図において、８は表示ユニット４の筐体内に設けられた切換えスイッチであり、９は切換えスイッチ８と一体となってスライドする連結部材である。
【００３０】
切換えスイッチ８を図９中の矢印Ｃ方向にスライドさせることにより、連結部材９が同方向にスライドし、表示ユニット４と発光ユニット３との連結、非連結が切換わる。連結状態では、表示ユニット４と発光ユニット３とが第２軸Ｂを中心として一体的に回動する。非連結状態では、表示ユニット４と発光ユニット３とが第２軸Ｂを中心として互いに独立して回動する。
【００３１】
例えば発光ユニット３を使用しないときに、図１０に示す状態から切換えスイッチ８を連結側に切換えることにより、図１１に示すように、第２軸Ｂを中心として発光ユニット３と表示ユニット４とを一体的に回動させることが可能になり、発光ユニット３と表示ユニット４のうち一方のみを回動操作するだけで両ユニット３，４を回動させることができる。これにより、表示ユニット４がカメラ本体１と発光ユニット３との間に配置されている場合の表示ユニット４の回動操作性を高めることができる。
【００３２】
なお、本実施例においても、発光ユニット３を表示ユニット４より内側に配置してもよい。
【００３３】
また、本実施例では、切換えスイッチ８および連結部材９を表示ユニット４側に配置しているが、発光ユニット３側に配置してもよい。ただし、表示ユニット４側に配置することにより、回動操作を含めて、通常は使用頻度の多い表示ユニット４側のみで操作を行えばよくなり、発光ユニット３の向きが不用意に変化することを防止できる。
【実施例４】
【００３４】
以上説明した実施例１から３においては、発光ユニット３と表示ユニット４とが第２軸Ｂ回りで互いに独立して回動できる場合について説明したが、発光ユニット３を第２軸Ｂ回りでは被写体方向に向いた状態で固定し、表示ユニット４のみ第２軸Ｂ回りで回動できるようにしてもよい。
【００３５】
この場合、前述したバウンスフラッシュ撮影等で得られる照明効果は得られないが、適正な被写体照明を可能としつつ、表示ユニット４の向きを任意に設定することができる。
【００３６】
なお、上記各実施例で説明したカメラの構成は例示にすぎず、本発明を実施するにあたっては、上記各実施例と同等の機能を有する他の構成を採用してもよい。また、上記各実施例では、発光ユニットと表示ユニットが第１軸と第２軸を中心としてのみ回動する場合について説明したが、さらに発光ユニットおよび表示ユニットの少なくとも一方を別の軸の回りでも回動可能としたり（例えば、表示ユニットと発光ユニットの間に第１軸と平行な又は第１および第２軸に直交する回動軸を設けたり）、赤目のより効果的な防止効果のために、表示ユニットの外側に配置された発光ユニットを表示ユニットに対して第２軸方向に離すことができるようにしたりしてもよい。
【図面の簡単な説明】
【００３７】
【図１】本発明の実施例１である撮影装置（カメラ）の斜視図。
【図２】実施例１のカメラの正面図。
【図３】実施例１のカメラの断面図。
【図４】実施例１のカメラの斜視図。
【図５】実施例１のカメラの斜視図。
【図６】実施例１のカメラの斜視図。
【図７】実施例１のカメラの斜視図。
【図８】本発明の実施例２であるカメラの斜視図。
【図９】本発明の実施例３であるカメラの断面図。
【図１０】実施例３のカメラの斜視図。
【図１１】実施例３のカメラの斜視図。
【符号の説明】
【００３８】
１  カメラ本体
２  レリーズボタン
３  発光ユニット
３ａ  発光窓
４  表示ユニット
４ａ  画面
５  回動ベース部材
６  回動連結部材
７  撮影レンズ
８  切換えスイッチ
９  連結部材
１０  撮像素子
【図９】
2006295302.tif 000003
【図１】
2006295302.tif 000004
【図２】
2006295302.tif 000005
【図３】
2006295302.tif 000006
【図４】
2006295302.tif 000007
【図５】
2006295302.tif 000008
【図６】
2006295302.tif 000009
【図７】
2006295302.tif 000010
【図８】
2006295302.tif 000011
【図１０】
2006295302.tif 000012
【図１１】
2006295302.tif 000013